(57)【要約】【課題】  用紙がある場合でもデータを記憶できる画像読み取り記録装置を提供すること。【解決手段】  本発明の画像読み取り記録装置１は、複数の記憶領域を有するＨＤＤ（補助記憶手段）１２と、記憶領域としての出力先を一覧表示する表示部１０と、出力先を選択する操作部１１と、原稿の画像を読み取る読み取り部８と、読み取られた画像データを記憶するＲＡＭ３と、選択された出力先に記憶された画像データを格納する手段と、を備える。【選択図】      図２ 
2005151145.tif 000002
【特許請求の範囲】
【請求項１】
複数の記憶領域を有する補助記憶手段と、
前記記憶領域としての出力先を一覧表示する手段と、
前記出力先を選択する手段と、
原稿の画像を読み取る手段と、
読み取られた画像データを記憶する手段と、
前記選択された出力先に前記記憶された画像データを格納する手段と、
を備えたことを特徴とする画像読み取り記録装置。
【請求項２】
前記出力先と対応付けて記憶手段に記憶された用紙サイズ情報、記憶手段に記憶又は入力手段により入力された出力条件情報、及び、読み取り手段により検出又は入力手段により入力された前記原稿のサイズに基づいて前記読み取られた画像データを変換する手段と、
前記変換された画像データを記憶する手段と、
を備えた請求項１記載の画像読み取り記録装置。
【請求項３】
画像データ又は画像データが添付された電子メールを受信する手段と、
前記受信した画像データ又は電子メールに添付された画像データを受信用の出力先に格納する手段と、
を備えた請求項１又は２記載の画像読み取り記録装置。
【請求項４】
前記記憶領域としての出力元を一覧表示し、前記出力元の選択を求めるメッセージを表示する手段と、
前記出力元を選択する手段と、
前記選択された出力元上の画像データの格納履歴情報を一覧表示し、前記格納履歴情報の選択を求めるメッセージを表示する手段と、
前記格納履歴情報を選択する手段と、
前記出力先を給紙手段としての出力先と共に一覧表示し、前記出力先の選択を求めるメッセージを表示する手段と、
前記出力先を選択する手段と、
前記選択された出力先に前記選択された格納履歴情報に対応する画像データを出力する手段と、
を備えた請求項１乃至３のいずれか記載の画像読み取り記録装置。
【請求項５】
前記出力元とパスワードを対応付けて記憶する手段と、
パスワードを入力する手段と、
前記入力されたパスワードが前記選択された出力元に対応するパスワードと一致するときに前記格納履歴情報を一覧表示する手段と、
を備えた請求項４記載の画像読み取り記録装置。
【発明の詳細な説明】
【技術分野】
【０００１】
本発明は、ハードディスクドライブ（ＨＤＤ）等の補助記憶手段を備えた画像読み取り記録装置に関するものである。
【背景技術】
【０００２】
従来のこの種の技術としては、ユーザが指定した紙種の用紙がない場合に、データを記憶するデータ記憶手段と、前記ユーザが指定した紙種の用紙が補給されたか否かを判断する用紙補給判断手段と、この用紙補給判断手段により、前記ユーザが指定した紙種の用紙が補給されたと判断された場合、前記データ記憶手段により記憶されたデータを画像形成する画像形成手段とを有する画像形成装置等が知られている（例えば、特許文献１参照。）。
【特許文献１】特開２００１−４７７０３号公報（第２−８頁，図１，図３等）
【発明の開示】
【発明が解決しようとする課題】
【０００３】
上記のような画像形成装置においては、ユーザが指定した紙種の用紙がない場合にデータが記憶されるものの、用紙がある場合にはデータが記憶されないという問題点がある。
【０００４】
本発明は、以上のような問題点に鑑みてなされたものであり、用紙がある場合でもデータを記憶できる画像読み取り記録装置を提供することを目的とする。
【課題を解決するための手段】
【０００５】
上記目的を達成するための請求項１の発明は、複数の記憶領域を有する補助記憶手段と、前記記憶領域としての出力先を一覧表示する手段と、前記出力先を選択する手段と、原稿の画像を読み取る手段と、読み取られた画像データを記憶する手段と、前記選択された出力先に前記記憶された画像データを格納する手段と、を備えた。
【０００６】
請求項２の発明は、前記出力先と対応付けて記憶手段に記憶された用紙サイズ情報、記憶手段に記憶又は入力手段により入力された出力条件情報、及び、読み取り手段により検出又は入力手段により入力された前記原稿のサイズに基づいて前記読み取られた画像データを変換する手段と、前記変換された画像データを記憶する手段と、を備えた。
【０００７】
請求項３の発明は、画像データ又は画像データが添付された電子メールを受信する手段と、前記受信した画像データ又は電子メールに添付された画像データを受信用の出力先に格納する手段と、を備えた。
【０００８】
請求項４の発明は、前記記憶領域としての出力元を一覧表示し、前記出力元の選択を求めるメッセージを表示する手段と、前記出力元を選択する手段と、前記選択された出力元上の画像データの格納履歴情報を一覧表示し、前記格納履歴情報の選択を求めるメッセージを表示する手段と、前記格納履歴情報を選択する手段と、前記出力先を給紙手段としての出力先と共に一覧表示し、前記出力先の選択を求めるメッセージを表示する手段と、前記出力先を選択する手段と、前記選択された出力先に前記選択された格納履歴情報に対応する画像データを出力する手段と、を備えた。
【０００９】
請求項５の発明は、前記出力元とパスワードを対応付けて記憶する手段と、パスワードを入力する手段と、前記入力されたパスワードが前記選択された出力元に対応するパスワードと一致するときに前記格納履歴情報を一覧表示する手段と、を備えた。
【発明の効果】
【００１０】
請求項１の発明によれば、記憶領域としての出力先を選択すれば給紙カセット等の給紙手段に用紙がある場合であっても選択された出力先に画像データを格納できるので、省スペースで高機能化を図ることができる。
【００１１】
請求項２の発明によれば、画像データを拡大又は縮小等した状態で出力先に格納することができる。
【００１２】
請求項３の発明によれば、給紙カセット等の給紙手段に用紙がある場合であっても受信用の出力先に受信した画像データ又は電子メールに添付された画像データを格納できるので、省スペースで高機能化を図ることができる。
【００１３】
請求項４の発明によれば、記憶領域としての出力元上の画像データを簡単な操作で適宜の出力先に出力することができる。
【００１４】
請求項５の発明によれば、出力元上の画像データのセキュリティを確保することができる。
【発明を実施するための最良の形態】
【００１５】
以下、本発明の実施形態を図面に基づいて説明する。
本実施形態に係る画像読み取り記録装置１は、図１に示すように、ＣＰＵ（Central Processing Unit，中央処理装置）２、ＲＡＭ（Random Access Memory，随時書き込み読み出しメモリ）（記憶手段）３、ＲＯＭ（Read Only Memory，読み出し専用メモリ）４、コーデック（ＣＯＤＥＣ）５、モデム６、ＮＣＵ（Network Control Unit，回線網制御装置）７、読み取り部（読み取り手段）８、プリント部９、表示部１０、操作部（入力手段）１１、ＨＤＤ（Hard Disk Drive）（補助記憶手段）１２、及びＬＡＮ（Local Area Network）インターフェース（Ｉ／Ｆ）１３等を備えたものであり、各部２〜１３はバス１４を介して互いに通信可能に接続されている。
【００１６】
ＲＯＭ４は、ＣＰＵ２により各部３〜１３の動作を制御するための各種制御プログラムや後述する各種メッセージ等を記憶した記憶部として機能する。ＣＰＵ２は、ＲＯＭ４等に格納された制御プログラムに従って各部３〜１３の動作を制御する制御部として機能する。
【００１７】
ＲＡＭ３は、読み取り部８により読み取られる原稿の画像データ、ライフ情報（プリント枚数、読み取り枚数等）、機器設定情報（発信元名、発信元番号等）、ファクス（ＦＡＸ）送信履歴情報、電子メール送信履歴情報、格納履歴情報（コピー履歴、ファクス受信履歴、電子メール受信履歴等）、用紙サイズ情報〔自動（原稿のサイズと同じサイズ）、Ａ４（２１０ｍｍ×２９７ｍｍ）、Ｂ４（２５７ｍｍ×３６４ｍｍ）、Ａ３（２９７ｍｍ×４２０ｍｍ）、Ｂ５（１８２ｍｍ×２５７ｍｍ）等〕、出力条件情報（原稿種類、濃度、倍率、部数等）等を記憶する記憶部（記憶手段）として機能する。
【００１８】
読み取り部８は、原稿の画像を読み取り、白黒２値化等した画像データを出力すると共に、読み取られる原稿のサイズも検出する。プリント部９は、電子写真方式等により、後述するＨＤＤ１２の記憶領域としての出力元やＲＡＭ３等に格納された画像データ等を用紙にプリントする。表示部１０は、操作部１１等に併設されたＬＣＤ（Liquid Crystal Display，液晶ディスプレイ）等で構成されており、各種のメッセージや画面情報を表示する。操作部１１は、出力条件情報、後述する出力先、出力元、原稿のサイズ、コピーや送信等の装置動作のスタート・ストップ等の各種情報・操作の入力・選択をするための入力キー・選択キー等を備えている。画像読み取り記録装置１に対するユーザによる各種操作は、この操作部１１を通じて行われる。
【００１９】
ＨＤＤ１２は、フォルダ等からなる複数の記憶領域を有している。記憶領域は、画像データがＲＡＭ３等の記憶手段から格納されるときは出力先として、格納された画像データを出力（給紙手段としての出力先に収容された用紙へのプリント、記憶領域としての出力先への格納等）するときは出力元として、それぞれ機能する。なお、補助記憶手段はＨＤＤ１２に限定されるものではなく、その他に例えば、光磁気ディスク（Magneto Optical Disk）ドライブ、ＤＶＤ（Digital Versatile Disk）−ＲＡＭドライブ等が挙げられる。
【００２０】
コーデック５は、画像データを格納や送信等のためにＭＨ（Modified Huffman）方式、ＭＲ（Modified READ）方式、ＭＭＲ（Modified Modified READ）方式等により符号化したり、受信した画像データを復号化したりする。また、コーデック５は、電子メールの添付ファイル形式として一般的に利用されている画像フォーマットであるＴＩＦＦ（Tagged Image File Format）形式にも対応して画像データを符号化及び復号化する。
【００２１】
モデム６は、例えばＩＴＵ−Ｔ（国際電気通信連合−電気通信標準化部門）の勧告Ｖ．３４規格又はこれと同様のものに従った送信データの変調及び受信データの復調を行う。ＮＣＵ７は、ＰＳＴＮ（Public Switched Telephone Network，公衆電話交換網）１５に接続されており、電話回線を制御して電話をかけたり切ったりする。
【００２２】
ＬＡＮインターフェース１３は、ＬＡＮ１６と画像読み取り記録装置１とを通信可能に接続するインターフェースである。ＬＡＮ１６にはクライアントＰＣ（Personal Computer）（図示せず）が設置されており、画像読み取り記録装置１が有する各種機能をクライアントＰＣからＬＡＮ１６を通じて利用できるようになっている。また、ＬＡＮ１６にはメールサーバ（図示せず）や、インターネットに接続されたルータ（図示せず）等も設置されており、画像読み取り記録装置１はメールサーバやルータ等を通じてインターネット上の他の電子メール端末装置とインターネットファクス通信を行うことができるようになっている。
【００２３】
上記のように構成された画像読み取り記録装置１は、コピー機の他、ネットワークプリンタ、ネットワークスキャナ、ファクス通信機能・インターネットファクス通信機能・Ｆコード通信機能等を有する通信機等としても機能する複合機である。ここで、Ｆコード通信とはＩＴＵ−Ｔの規格に従ったサブアドレスやパスワードを利用して行う通信であり、サブアドレス等と配信先とを対応付けて記憶したＦコードボックスに基づいて、受信した画像データの配信先が決定されるようになっている。
【００２４】
次に、コピー時の画像データの格納処理例を図２に示すフローチャートに基づいて説明する。なお、この処理や後述の各処理は、ＲＯＭ４に格納された制御プログラムに基づいてＣＰＵ２が発行する命令に従ってそれぞれ行われる。
【００２５】
この処理において、操作部１１によりコピーモードのＯＮが入力されたときは（ステップＳ１）、図２及び図３に示すように、出力先が表示部１０に一覧表示される（ステップＳ２）。
【００２６】
記憶領域としての出力先としては、図３のような「ＨＤＤ（自動）」、「ＨＤＤ（Ａ４）」、「ＨＤＤ（Ｂ４）」、「ＨＤＤ（Ａ３）」、「ＨＤＤ（Ｂ５）」、「Ｘ氏（ＨＤＤ・Ａ４）」、「Ｙ氏（ＨＤＤ・自動）」等が挙げられる。また、給紙手段としての出力先としては、図３のような「自動（原稿のサイズと同じサイズの用紙を収容する給紙カセット）」、「カセット（用紙を収容する給紙カセット）１（Ａ４）」、「カセット２（Ｂ４）」、「カセット３（Ａ３）」、「カセット４（Ｂ５）」、「手差しトレイ」等が挙げられる。用紙サイズ情報は、「手差しトレイ」以外の出力先と対応付けてＲＡＭ３等に記憶されている。出力先の名称は、ＲＡＭ３等に記憶されている。
【００２７】
次いで、図２に示すように、操作部１１により出力先として例えば「ＨＤＤ（Ａ４）」が選択され（ステップＳ３）、コピーのスタートが入力されたときは（ステップＳ４）、読み取り部８により原稿の画像の読み取りが開始される（ステップＳ５）。読み取られた画像データはＲＡＭ３に格納され（ステップＳ６）、ＲＡＭ３上の画像データは選択された「ＨＤＤ（Ａ４）」に格納される（ステップＳ７）。
【００２８】
そして、原稿の全ページの読み取りが完了していないときは（ステップＳ８でＮＯ）ステップＳ６に戻るが、完了したときは（ステップＳ８でＹＥＳ）処理が終了する。なお、操作部１１によりスキャナモードのＯＮが入力され、原稿の画像がスキャン（読み取り）される場合も上記と同様の処理が行われる。
【００２９】
上記のように構成された画像読み取り記録装置１によれば、記憶領域としての出力先を選択すれば給紙カセット等の給紙手段に用紙がある場合であっても選択された出力先に画像データを格納できるので、省スペースで高機能化を図ることができるという利点がある。
【００３０】
次に、画像データの出力処理例を図４に示すフローチャートに基づいて説明する。
この処理において、操作部１１により出力モードのＯＮが入力されたときは（ステップＳ１１）、図４及び図５に示すように、表示部１０に記憶領域としての出力元が一覧表示され、「出力元を選択して下さい」等の出力元の選択を求めるメッセージが表示される（ステップＳ１２）。
【００３１】
記憶領域としての出力元としては、既述の記憶領域としての出力先と同様のものの他、図５のような「受信ファクス（ＨＤＤ）」、「受信メール（ＨＤＤ）」等が挙げられる。出力元の名称は、ＲＡＭ３等に記憶されている。
【００３２】
次いで、図４に示すように、操作部１１により出力元として例えば「ＨＤＤ（Ａ４）」が選択されたときは（ステップＳ１３）、図４及び図６に示すように、表示部１０に格納履歴情報が一覧表示され、「出力する画像データの格納履歴情報を選択して下さい」等の格納履歴情報の選択を求めるメッセージが表示される（ステップＳ１４）。
【００３３】
格納履歴情報としては、出力元に画像データの格納を開始した「開始日時」や原稿の「枚数」等が挙げられる。
【００３４】
操作部１１により格納履歴情報が選択されたときは（ステップＳ１５）、図４及び図７に示すように、表示部１０に出力先が一覧表示され、「出力先を選択して下さい」等の出力先の選択を求めるメッセージが表示される（ステップＳ１６）。
【００３５】
操作部１１により出力先として例えば「カセット１（Ａ４）」が選択され（ステップＳ１７）、出力のスタートが入力されたときは（ステップＳ１８）、プリント部９により画像データの用紙（カセット１に収容されたＡ４用紙）へのプリントが開始される（ステップＳ１９）。そして、全ページのプリントが完了していないときは（ステップＳ２０でＮＯ）ステップＳ２０に戻るが、完了したときは（ステップＳ２０でＹＥＳ）処理が終了する。なお、出力先としては、更に記憶領域としての出力先を選択することもできる。
【００３６】
上記のように構成しておけば、記憶領域としての出力元上の画像データを簡単な操作で適宜の出力先に出力できるという利点がある。
【００３７】
ここで、出力先と対応付けてＲＡＭ３等に記憶された用紙サイズ情報、ＲＡＭ３等に記憶又は操作部１１により入力された出力条件情報、及び、読み取り部８により検出又は操作部１１により入力された原稿のサイズに基づいて読み取られた画像データを変換し、この変換された画像データをＲＡＭ３等に記憶するように構成しておけば、画像データを拡大又は縮小等した状態で出力先に格納できるという利点がある。
【００３８】
次に、格納履歴情報の一覧表示時の認証処理例を図８に示すフローチャートに基づいて説明する。なお、図４と同じ手順については、同一の符号を付している。
この処理において、操作部１１により出力元として例えば「Ｘ氏（ＨＤＤ・Ａ４）」が選択されたときは（ステップＳ２１）、「パスワードを入力して下さい」等のパスワードの入力を求めるメッセージが表示部１０に表示される（ステップＳ２２）。パスワードは、出力元と対応付けてＲＡＭ３等に記憶されている。
【００３９】
操作部１１によりパスワードとして例えば「１２３４」が入力され（ステップＳ２３）、そのパスワードが正しくないときは（ステップＳ２４でＮＯ）ステップＳ２２に戻るが、正しいときは（ステップＳ２４でＹＥＳ）図４に示すステップＳ１４に進む。
【００４０】
上記のように構成しておけば、出力元上の画像データのセキュリティを確保できるという利点がある。
【００４１】
次に、ファクス受信時の画像データの格納処理例を図９に示すフローチャートに基づいて説明する。
この処理において、モデム６等によりファクス受信が開始されたときは（ステップＳ３１）、受信した画像データがファクス受信用の出力先（記憶領域）として例えば「受信ファクス（ＨＤＤ）」に格納される（ステップＳ３２）。そして、全ページの受信が完了していないときはステップＳ３３に戻るが、完了したときは（ステップＳ３３でＹＥＳ）処理が終了する。
【００４２】
図１０に示すように、既述と同様にして操作部１１により出力元として「受信ファクス（ＨＤＤ）」が選択されたときは、図１１に示すように、格納履歴情報が表示部１０に一覧表示される。その後の処理は既述と同様である。格納履歴情報としては、図１１に示すように、「相手先名」、「モード」、ファクス受信の「開始日時」、ファクス受信の開始から完了までの「時間」、受信した「枚数」、ファクス受信の「結果」等が挙げられる。また、格納履歴情報の一覧表示時に上記と同様にしてパスワード認証を行うように構成し、出力元上の画像データのセキュリティを確保するようにしてもよい。
【００４３】
上記のように構成しておけば、給紙カセット等の給紙手段に用紙がある場合であってもファクス受信用の出力先にファクス受信した画像データを格納できるので、省スペースで高機能化を図ることができるという利点がある。
【００４４】
次に、電子メール受信時の画像データの格納処理例を図１２に示すフローチャートに基づいて説明する。
この処理においては、まず、ＬＡＮインターフェイス１３等により電子メール受信が開始される（ステップＳ４１）。そして、電子メールの受信が完了していないときは（ステップＳ４２でＮＯ）ステップＳ４２に戻るが、完了したときは（ステップＳ４２でＹＥＳ）受信した電子メールに添付された画像データが電子メール受信用の出力先（記憶領域）として例えば「受信メール（ＨＤＤ）」に格納されて（ステップＳ４３）処理が終了する。
【００４５】
図１３に示すように、既述と同様にして操作部１１により出力元として「受信メール（ＨＤＤ）」が選択されたときは、図１４に示すように、格納履歴情報が表示部１０に一覧表示される。その後の処理は既述と同様である。格納履歴情報としては、図１４に示すように、「送信者」、「件名」、「受信日時」等が挙げられる。また、格納履歴情報の一覧表示時に上記と同様にしてパスワード認証を行うように構成し、出力元上の画像データのセキュリティを確保するようにしてもよい。
【００４６】
上記のように構成しておけば、給紙カセット等の給紙手段に用紙がある場合であっても電子メール受信用の出力先に電子メールに添付された画像データを格納できるので、省スペースで高機能化を図ることができるという利点がある。
【００４７】
なお、図３及び図７に示すように出力先の一覧表示時に出力先と共に「ユーザ登録」等のユーザ登録モードのＯＮ入力の項目を表示部１０に表示し、図１５に示すように操作部１１によりその項目が選択されたときは「ユーザ名を入力して下さい」等のユーザ名の入力を求めるメッセージを表示部１０に表示し、操作部１１によりユーザ名として例えば「Ｚ氏」が入力されたときは表示部１０に用紙サイズ情報を一覧表示し、「用紙サイズを入力して下さい」等の用紙サイズ情報の入力を求めるメッセージを表示し、操作部１１により用紙サイズ情報として例えば「Ａ４」が選択されたときは図１６に示すようにＨＤＤ１２に出力先（記憶領域）として「Ｚ氏（ＨＤＤ・Ａ４）」を追加するように構成しておけば、個人用や特定の目的用等、出力の目的に応じて出力先を作成することができる。
【産業上の利用可能性】
【００４８】
以上のように、本発明に係る画像読み取り記録装置は、画像データの記憶装置として有用であり、特に、用紙の有無に関係なく画像データを記憶できるようにするのに適している。
【図面の簡単な説明】
【００４９】
【図１】実施形態に係る画像読み取り記録装置の構成例を示すブロック図。
【図２】コピー時の画像データの格納例を示すフローチャート。
【図３】表示部に出力先を一覧表示した例を示す説明図。
【図４】画像データの出力処理例を示すフローチャート。
【図５】表示部に出力元を一覧表示した例を示す説明図。
【図６】表示部に格納履歴情報を一覧表示した例を示す説明図。
【図７】表示部に出力先を一覧表示した例を示す説明図。
【図８】格納履歴情報の一覧表示時の認証処理例を示すフローチャート。
【図９】ファクス受信時の画像データの格納例を示すフローチャート。
【図１０】表示部に出力元を一覧表示した例を示す説明図。
【図１１】表示部に格納履歴情報を一覧表示した例を示す説明図。
【図１２】電子メール受信時の画像データの格納例を示すフローチャート。
【図１３】表示部に出力元を一覧表示した例を示す説明図。
【図１４】表示部に格納履歴情報を一覧表示した例を示す説明図。
【図１５】表示部に出力先と共にユーザ登録モードのＯＮ入力の項目を表示した例を示す説明図。
【図１６】表示部に出力先を一覧表示した例を示す説明図。
【符号の説明】
【００５０】
１  画像読み取り記録装置
３  ＲＡＭ（記憶手段）
８  読み取り部（読み取り手段）
１１  操作部（入力手段）
１２  ＨＤＤ（補助記憶手段）
【図１】
2005151145.tif 000003
【図２】
2005151145.tif 000004
【図３】
2005151145.tif 000005
【図４】
2005151145.tif 000006
【図５】
2005151145.tif 000007
【図６】
2005151145.tif 000008
【図７】
2005151145.tif 000009
【図８】
2005151145.tif 000010
【図９】
2005151145.tif 000011
【図１０】
2005151145.tif 000012
【図１１】
2005151145.tif 000013
【図１２】
2005151145.tif 000014
【図１３】
2005151145.tif 000015
【図１４】
2005151145.tif 000016
【図１５】
2005151145.tif 000017
【図１６】
2005151145.tif 000018